(57)【要約】【課題】利用者の意図的な作業を要することなく、屋内と屋外の各々において、異なる測位手段を用いて測位可能な測位装置を提供する。【解決手段】測位装置１０は、電子機器１に照射される照射光の光特性を検出する光特性検出部１１と、電子機器１が屋内および屋外のいずれにあるかを識別する識別部１３と、屋内用測位部１４による測位と屋外用測位部１５による測位とを切り替える切り替え部１６とを備える。【選択図】図１
2013120131.tif 000002
【特許請求の範囲】
【請求項１】
屋内と屋外との間において位置の移動が可能な電子機器に取り付けられた測位装置であって、
上記電子機器に照射される照射光の光特性を検出する光特性検出部と、
検出された上記照射光の光特性を、屋内における光として予め想定される屋内光の光特性および屋外における光として予め想定される屋外光の光特性と比較することにより、上記電子機器が屋内および屋外のいずれにあるかを識別する識別手段と、
上記電子機器が屋内にあるときは屋内用測位部による測位に切り替える一方、上記電子機器が屋外にあるときは屋外用測位部による測位に切り替える切り替え手段と
を備えることを特徴とする測位装置。
【請求項２】
上記電子機器に照射される照射光に含まれる紫外線量を検出する紫外線量検出部をさらに備え、
上記識別手段はさらに、検出された上記照射光に含まれる紫外線量を、上記屋内光に含まれる紫外線量および上記屋外光に含まれる紫外線量と比較することにより、上記電子機器が屋内および屋外のいずれにあるかを識別することを特徴とする請求項１に記載の測位装置。
【請求項３】
上記電子機器は、少なくとも１つのアプリケーションを備え、当該少なくとも１つのアプリケーションを処理することにより、それぞれのアプリケーションに対応する機能を実現可能であり、
上記少なくとも１つのアプリケーションが処理されているか否かを監視する監視手段をさらに備え、
上記識別手段は、上記少なくとも１つのアプリケーションが処理されているか否かに応じて、上記識別の要否を決定することを特徴とする請求項１または２に記載の測位装置。
【請求項４】
上記電子機器は、少なくとも１つのアプリケーションを備え、当該少なくとも１つのアプリケーションを処理することにより、それぞれのアプリケーションに対応する機能を実現可能であり、
上記識別手段は、上記少なくとも１つのアプリケーションに対応する機能の実現に応じて、上記識別を開始することを特徴とする請求項１または２に記載の測位装置。
【請求項５】
上記切り替え手段は、
上記電子機器が屋内にあるときは、上記屋内用測位部および上記屋外用測位部のうちの上記屋内用測位部を動作させることで、上記屋内用測位部による測位に切り替える一方、
上記電子機器が屋外にあるときは、上記屋内用測位部および上記屋外用測位部のうちの上記屋外用測位部を動作させることで、上記屋外用測位部による測位に切り替えることを特徴とする請求項１〜４のいずれか１項に記載の測位装置。
【請求項６】
請求項１〜５のいずれか１項に記載の測位装置における各手段としてコンピュータを動作させるための測位プログラム。
【請求項７】
請求項６に記載の測位プログラムを記録したコンピュータ読み取り可能な記録媒体。
【請求項８】
屋内と屋外との間において位置の移動が可能な電子機器の現在位置を測位する測位方法であって、
上記電子機器に照射される照射光の光特性を検出する光特性検出工程と、
検出された上記照射光の光特性を、屋内における光として予め想定される屋内光の光特性および屋外における光として予め想定される屋外光の光特性と比較することにより、上記電子機器が屋内および屋外のいずれにあるかを識別する識別工程と、
上記電子機器が屋内にあるときは屋内用測位部による測位に切り替える一方、上記電子機器が屋外にあるときは屋外用測位部による測位に切り替える工程と
を含むことを特徴とする測位方法。
【発明の詳細な説明】
【技術分野】
【０００１】
本発明は、測位装置、測位方法、測位プログラムおよびコンピュータ読み取り可能な記録媒体に関し、特に、屋内と屋外との間において位置の移動が可能な電子機器に取り付けられ、当該電子機器の位置を測位可能な測位装置、測位方法、測位プログラムおよびコンピュータ読み取り可能な記録媒体に関するものである。
【背景技術】
【０００２】
近年、例えば、携帯端末といった電子機器によって位置情報を得る方法としてはＧＰＳ（Global Positioning System）機能が実用的である。特に、携帯型電話機や腕時計等の携帯型の電子機器にもＧＰＳ機能が備えられるようになり、カーナビゲーション装置のように屋外で使用されるのみではなく、建物内や地下といった様々な場所でも使用され始めている。
【０００３】
ところで、建物内や地下といった屋内ではＧＰＳ衛星信号を受信し難く、現在位置の測位が困難であるという課題が生じている。よって、このような電子機器を携帯し、移動する利用者にしてみれば、屋外のみならず、屋内においても、確実に測位可能な技術の出現は非常に興味深いことであった。
【０００４】
このような状況を考慮して、電子機器を携帯する利用者が、屋内から屋外へ、またその逆である、屋外から屋内へ、移動する場合、屋内に適した測位機能と屋外に適した測位機能とを切り替える手法が提案されている。
【０００５】
例えば、特許文献１には、複数の測位手段がある場所において、所望の測位手段を利用者の望むタイミングで選択可能に表示することで、測位手段を迅速かつ適切に切り替えることを可能にするナビゲーションシステムが開示されている。このナビゲーションシステムにおいては、利用者が携帯する携帯端末装置において、装置が受信した地図データおよび切替可能測位手段情報を出力し、出力された切替可能測位手段情報を端末装置の利用者に選択させる。利用者が切替可能測位手段情報を選択すると、選択された切替可能測位手段情報に対応する測位範囲情報で示す範囲内において、対応する測位手段に切り替えられる。例えば、屋外での測位を可能とするＧＰＳ機能から、屋内での測位を可能とするＩＭＥＳ（Indoor Message System）機能に切り替えられる。この端末装置は、複数の測位手段をメニュー形式で表示し、利用者に測位手段を切り替えさせるものである。
【０００６】
特許文献２には、屋外に在るときにはＧＰＳ信号を受信し、受信した信号に含まれる位置関連情報に基づいて現在位置を検出し、屋内に在るときには、適所に設置される位置ＩＤ発信器から位置ＩＤを含む赤外線を受信し、受信した赤外線に含まれる位置ＩＤに基づいて現在位置を検出する位置検出装置が開示されている。この位置検出装置では、ＧＰＳ信号と赤外線の両方の信号を受信できるエリアにあるときは、優先的に赤外線を受けて現在位置を検出する。
【０００７】
特許文献３には、移動体が屋内施設内を移動した場合においても移動体の適切な現在位置を決定することができるナビゲーション装置が開示されている。このナビゲーション装置では、通常の移動中には自立センサ手段の出力データとＧＰＳ装置の出力データとに対して地図データを用いてマップマッチング処理を施して移動体の現在位置を決定する。移動体の現在位置が屋内施設内にあることを検出した場合には、自立センサ手段の出力データだけに対して地図データを用いたマップマッチング処理を施し、移動体の現在位置を決定する。
【０００８】
特許文献４には、測位モードを適切に切り替えて精度の高い測位を行なう移動体位置測位装置が開示されている。この移動体位置測位装置では、衛星からの信号のコード位相に基づいて移動体の位置を測位する第１測位手段と、移動体の位置に関する情報と、衛星からの搬送波の周波数のドップラ成分の計測値とに基づいて、移動体の位置を測位する第２測位手段と、第１測位手段による第１測位モードと第２測位手段による第２測位モードとを切り替えるモード切替手段とを備え、モード切替手段が、位置情報取得手段により所定レベル以上の信頼性の高い位置情報が取得された場合に、第１測位手段による第１測位モードから第２測位手段による第２測位モードに切り替える。
【０００９】
特許文献５には、位置検出部を適切なタイミングで動作させて撮影時の位置情報を取得できるカメラが開示されている。このカメラでは、屋外にあると判定したときに、ＧＰＳ信号を入手するようＧＰＳ部を動作させる。屋外か否かの判定は、撮影時と撮影時以外で異なり、撮影時には撮影画像のシーンにより判定する。一方、撮影時以外は、カメラに設けた太陽光を検出するセンサの出力やマイクによる音声信号で判定する。
【００１０】
特許文献６には、移動体が屋内または屋外のいずれに位置しても位置処理可能な位置処理システムが開示されている。この位置処理システムでは、位置処理用移動ユニット装置が、屋内での検出位置情報または屋内での位置検出を実行させる情報を提供する屋内位置検出用手段と、屋外での検出位置情報を行なうまたは屋外での位置検出を実行させる情報を提供する屋外位置検出用手段とを有する。管理センター装置は、位置処理用移動ユニット装置との無線通信に与えられた、屋内位置検出用手段からの情報または屋外位置検出用手段からの情報に基づいて、移動体の屋内外の位置処理を行なう。
【００１１】
特許文献７には、液晶表示素子を有するカメラにおいて、カメラの絞り情報や、屋外検出センサを用いることにより、屋外での視認性を高め、液晶画質を改善し、また液晶画質調節の操作性を向上させる撮像装置が開示されている。この撮像装置では、屋外環境下か屋内環境下かを判定し、その情報をもとに屋外か屋内かの液晶画質を自動的に変える。そうすることにより、屋外での視認性を向上させるとことができ、同時に、使用者が液晶画質調節をしなくても最適な液晶画質が再現できるという利点がある。また、撮像装置で必須の絞り情報や、屋外検出センサを利用することにより使用環境を判定し液晶画質をコントロールし視認性を高めるという目的を、部材の増加無し、すなわちコストアップせずに実現することができる。
【００１２】
このように、特許文献１〜７に開示された技術では、屋内と屋外とで異なる測位手段（一方のみが測位手段を持つ場合も含む。）を用いて、屋内および屋外の各々における測位を別々に実行していた。
【先行技術文献】
【特許文献】
【００１３】
【特許文献１】特開２０１１−６９７８９号公報（２０１１年４月７日公開）
【特許文献２】特開２０００−１１１６４８号公報（２０００年４月２１日公開）
【特許文献３】特開２００２−３１８１２１号公報（２００２年１０月３１日公開）
【特許文献４】特開２００８−１８０５９８号公報（２００８年８月７日公開）
【特許文献５】特開２００７−２９５０３４号公報（２００７年１１月８日公開）
【特許文献６】特開２００１−３３９７５４号公報（２００１年１２月７日公開）
【特許文献７】特開２００５−１７５８８８号公報（２００５年６月３０日公開）
【発明の概要】
【発明が解決しようとする課題】
【００１４】
しかしながら、特許文献１〜７に開示された技術では、屋内と屋外とで異なる測位手段を用い、屋内および屋外の各々で別々に測位を実行しているものの、電子機器を携帯する利用者が意図的に、異なる測位手段の切り替えを行なうといった、何かしらの作業を必ず行なう必要があった。
【００１５】
このことは、屋内から屋外へ、またその逆である、屋外から屋内へ、といった移動を繰り返す利用者にしてみれば、そのような作業を行なうことは煩わしいものである。このような作業を行なうことなく、屋内および屋外の各々に別々に測位することができれば、利用者の手間を大きく減らすことができる筈である。
【００１６】
このようにして、特許文献１〜７に開示された技術では、利用者の利便性に欠ける、といった課題があった。
【００１７】
本発明は、このような課題に鑑みてなされたものであり、屋内と屋外との間において位置の移動が可能な電子機器に取り付けられ、利用者の意図的な作業を要することなく、屋内と屋外の各々において、異なる測位手段を用いて測位可能な測位装置、測位方法、測位プログラムおよびコンピュータ読み取り可能な記録媒体を提供することを目的とする。
【課題を解決するための手段】
【００１８】
上記目的を達成するために、本発明における測位装置は、屋内と屋外との間において位置の移動が可能な電子機器に取り付けられた測位装置であって、上記電子機器に照射される照射光の光特性を検出する光特性検出部と、検出された上記照射光の光特性を、屋内における光として予め想定される屋内光の光特性および屋外における光として予め想定される屋外光の光特性と比較することにより、上記電子機器が屋内および屋外のいずれにあるかを識別する識別手段と、上記電子機器が屋内にあるときは屋内用測位部による測位に切り替える一方、上記電子機器が屋外にあるときは屋外用測位部による測位に切り替える切り替え手段とを備える。
【００１９】
上記の測位装置では、光特性検出部は、電子機器の周囲区間から照射される照射光の光特性を検出する。一方、電子機器が移動可能な屋内および屋外において、電子機器に照射されると想定される光、例えば、屋外であれば太陽光、屋内であれば蛍光灯、の各々について、それらの光特性が予め用意されている。
【００２０】
識別手段は、検出された照射光の光特性を、予め用意されている、屋内光の光特性および屋外光の光特性と比較することにより、照射光が屋内光であるか屋外光であるか識別する。これにより、識別手段は、照明光が屋内光であれば電子機器は屋内にあると識別し、照明光が屋外光であれば電子機器は屋外にあると識別する。
【００２１】
切り替え手段は、電子機器が屋内にあるときには屋内用測位部に測位させ、電子機器が屋外にあるときには屋外用測位部に測位させる。
【００２２】
上記の測位装置によれば、電子機器の利用者の意図的な作業を要することなく、屋内と屋外の各々において、異なる測位手段を用いて測位を行なうことができる。
【００２３】
上記電子機器に照射される照射光に含まれる紫外線量を検出する紫外線量検出部をさらに備え、上記識別手段はさらに、検出された上記照射光に含まれる紫外線量を、上記屋内光に含まれる紫外線量および上記屋外光に含まれる紫外線量と比較することにより、上記電子機器が屋内および屋外のいずれにあるかを識別することが好ましい。
【００２４】
上記構成によれば、識別手段は、光検出特性検出部による検出結果である照射光の光特性に加え、紫外線量検出部による検出結果である照射光に含まれる紫外線量も併せて用いて、電子機器が屋内にあるか屋外にあるかを識別する。それゆえ、識別手段による識別の精度を向上させることができる。
【００２５】
上記電子機器は、少なくとも１つのアプリケーションを備え、当該少なくとも１つのアプリケーションを処理することにより、それぞれのアプリケーションに対応する機能を実現可能であり、上記少なくとも１つのアプリケーションが処理されているか否かを監視する監視手段をさらに備え、上記識別手段は、上記少なくとも１つのアプリケーションが処理されているか否かに応じて、上記識別の要否を決定することが好ましい。
【００２６】
上記構成によれば、監視手段は、アプリケーションの処理が行なわれているか否かを監視する。これにより、アプリケーション処理の開始に合わせて測位を開始し、アプリケーション処理の停止に合わせて測位を停止することができる。このため、不必要な測位を行なう必要がなくなり、電子機器の消費電力を低減することができる。それゆえ、バッテリーの持ち時間が長くなり、電子機器の利用者の利便性を向上させることができる。
【００２７】
上記電子機器は、少なくとも１つのアプリケーションを備え、当該少なくとも１つのアプリケーションを処理することにより、それぞれのアプリケーションに対応する機能を実現可能であり、上記識別手段は、上記少なくとも１つのアプリケーションに対応する機能の実現に応じて、上記識別を開始することが好ましい。
【００２８】
上記構成によれば、識別手段は、アプリケーションからの測位の要求により、測位を開始し、測位を停止することができる。
【００２９】
上記切り替え手段は、上記電子機器が屋内にあるときは、上記屋内用測位部および上記屋外用測位部のうちの上記屋内用測位部を動作させることで、上記屋内用測位部による測位に切り替える一方、上記電子機器が屋外にあるときは、上記屋内用測位部および上記屋外用測位部のうちの上記屋外用測位部を動作させることで、上記屋外用測位部による測位に切り替えることが好ましい。
【００３０】
上記構成によれば、屋内用測位部と屋外用測位部との両方を不必要に動作させる必要がなく、電子機器の消費電力の低減化を図ることができる。それゆえ、電子機器を駆動するためのバッテリーの持ち時間が長くなり、電子機器の利用者の利便性を向上させることができる。
【００３１】
本発明における測位方法は、屋内と屋外との間において位置の移動が可能な電子機器の現在位置を測位する測位方法であって、上記電子機器に照射される照射光の光特性を検出する光特性検出工程と、検出された上記照射光の光特性を、屋内における光として予め想定される屋内光の光特性および屋外における光として予め想定される屋外光の光特性と比較することにより、上記電子機器が屋内および屋外のいずれにあるかを識別する識別工程と、上記電子機器が屋内にあるときは屋内用測位部による測位に切り替える一方、上記電子機器が屋外にあるときは屋外用測位部による測位に切り替える工程とを含む。
【００３２】
上記の測位方法では、電子機器の周囲区間から照射される照射光の光特性を検出する。一方、電子機器が移動可能な屋内および屋外において、電子機器に照射されると想定される光、例えば、屋外であれば太陽光、屋内であれば蛍光灯、の各々について、それらの光特性が予め用意されている。
【００３３】
検出された照射光の光特性を、予め用意されている、屋内光の光特性および屋外光の光特性と比較することにより、照射光が屋内光であるか屋外光であるか識別する。これにより、照明光が屋内光であれば電子機器は屋内にあると識別し、照明光が屋外光であれば電子機器は屋外にあると識別する。
【００３４】
電子機器が屋内にあるときには屋内用測位部に測位させ、電子機器が屋外にあるときには屋外用測位部に測位させる。
【００３５】
上記の測位方法によれば、電子機器の利用者の意図的な作業を要することなく、屋内と屋外の各々において、異なる測位手段を用いて測位を行なうことができる。
【００３６】
なお、前記測位装置は、コンピュータによって実現してもよく、この場合には、コンピュータを前記各手段として動作させることにより前記測位装置をコンピュータにて実現させる測位装置の制御プログラム、およびそれを記録したコンピュータ読み取り可能な記録媒体も、本発明の範疇に入る。
【発明の効果】
【００３７】
本発明の測位装置は、以上のように、屋内と屋外との間において位置の移動が可能な電子機器に取り付けられた測位装置であって、上記電子機器に照射される照射光の光特性を検出する光特性検出部と、検出された上記照射光の光特性を、屋内における光として予め想定される屋内光の光特性および屋外における光として予め想定される屋外光の光特性と比較することにより、上記電子機器が屋内および屋外のいずれにあるかを識別する識別手段と、上記電子機器が屋内にあるときは屋内用測位部による測位に切り替える一方、上記電子機器が屋外にあるときは屋外用測位部による測位に切り替える切り替え手段とを備える。
【００３８】
それゆえ、利用者の意図的な作業を要することなく、屋内と屋外の各々において、異なる測位手段を用いて測位可能であるという効果を奏する。
【図面の簡単な説明】
【００３９】
【図１】本発明の実施の形態１における測位装置が備えられた電子機器の概略構成を示すブロック図である。
【図２】上記測位装置の動作を示すフローチャートである。
【図３】本発明の実施の形態２における測位装置が備えられた電子機器の概略構成を示すブロック図である。
【図４】本発明の実施の形態３における測位装置が備えられた電子機器の概略構成を示すブロック図である。
【図５】上記測位装置の動作を示すフローチャートである。
【図６】屋内／屋外判定の処理手順を示すフローチャートである。
【発明を実施するための形態】
【００４０】
本発明の一実施形態について図１〜図５に基づいて説明すれば、以下の通りである。
【００４１】
〔実施の形態１〕
本発明における測位装置は、自身に照射される照射光の光特性を検出し、検出された光特性に基づいて、自身が存在する周囲空間が屋内であるのか、屋外であるのかを識別するする。測位装置は、周囲空間が屋内であれば、屋内での測位のためにあらかじめ備えられた測位機能を用いて測位し、周囲空間が屋外であれば、屋外での測位のためにあらかじめ備えられた測位機能を用いて測位する。
【００４２】
ここで、照射光の光特性とは、測位装置が存在する周囲空間から測位装置に照射される光の光特性である。この光特性は、例えば、照射光の照度または色温度等である。これらの光特性は、屋外における照射光（屋外光）が太陽光、屋内における照射光（屋内光）が蛍光灯である場合、各々の場合において、大きく異なる特性を有するものである。
【００４３】
測位装置は、このような光特性の差異により、周囲空間が屋内であるのか、あるいは、屋外であるのかを識別し、周囲空間に応じた測位機能を選択する。
【００４４】
測位装置は、例えば、移動可能な玩具、ゲーム機器、携帯情報端末、携帯電話、ノート型パーソナルコンピュータといった、利用者が携帯し、移動可能な電子機器に取り付けられ、測位装置が存在する周囲空間、すなわち、電子機器が存在する周囲空間を識別する。そして、測位装置は、周囲空間に応じた測位機能を用いて測位し、その測位結果を用いて、電子機器は、各種の処理を実行する。
【００４５】
（電子機器１）
以下、図面を用いて、測位装置が取り付けられた電子機器の構成について説明する。図１は、本発明の一実施形態における電子機器の構成を示すブロック図である。
【００４６】
図１に示すように、本発明の実施の形態１における電子機器１は、アプリケーションを処理するためのアプリ処理部１０１と、アプリ処理部１０１が処理する複数のアプリケーションを記憶するアプリ記憶部１０２と、アプリ処理部１０１が処理するアプリケーションの実行により、電子機器１を利用する利用者が、電子機器１を用いて取得する各種のデータを記憶する利用者データ記憶部１０３と、アプリ処理部１０１が処理するアプリケーションの実行結果を表示する表示部１０４と、電子機器１の利用者が各種の指示を電子機器１に入力するための入力部１０５と、電子機器１が外部と無線通信するための通信部１０６と、測位装置１０と、を備えている。
【００４７】
（測位装置１０）
測位装置１０は、電子機器１が存在する周囲空間から電子機器１に照射される照射光の光特性を検出する光特性検出部１１と、電子機器が存在し得る周囲空間から電子機器１に照射される照射光の光特性に関する情報である照射光情報を記憶する照射光情報記憶部１２と、光特性検出部１１により検出された光特性および照射光情報記憶部１２に記憶された照射光情報を用いて、電子機器１が存在する周囲空間を識別する識別部（識別手段）１３と、電子機器１の周囲空間が屋内である場合に用いられる屋内用測位部１４と、電子機器１の周囲空間が屋外である場合に用いられる屋外用測位部１５と、識別部１３により識別された周囲空間に応じ、屋内用測位部１４と屋外用測位部１５とを切り替える切り替え部（切り替え手段）１６と、現在の時刻を取得する時刻取得部１７と、を備えている。
【００４８】
（光特性検出部１１）
光特性検出部１１は、電子機器１の周囲空間から照射される光が持つ光特性を検出する。例えば、電子機器１の周囲空間が屋内であり、蛍光灯を常時点灯している場合であれば、光特性検出部１１は、蛍光灯からの光線における光量を検出する。一方、電子機器１の周囲空間が屋外であり、太陽光がふりそそぐ昼間であれば、光特性検出部１１は、太陽からの光線における光量を検出する。
【００４９】
光特性検出部１１は、例えば、フォトトランジスタ、硫化カドミウム（CdS）セル等といった光デバイスを備えていればよい。光特性検出部１１は、これら光デバイスからの受光光量に応じた信号に基づき、上で述べたような例えば、照度、輝度などを求めるようにして構成されればよい。
【００５０】
また、光特性検出部１１は、自然光、人工光、太陽光などが識別可能な色温度センサ、照度センサ、紫外線センサ、赤外線センサ等の光センサーを用いることができる。
【００５１】
もちろん、光特性検出部１１により検出される光特性は、光量のみならず、照度、輝度、色温度であってもよい。この光特性は、要は、電子機器１に照射される照射光の差異、具体的には、屋内における照射光と屋外における照射光との差異に応じた変化量を有する特性であればよい。
【００５２】
なお、屋内における照射光が、光の三原色である赤色・緑色・青色の発光ダイオードのチップを用いて1つの発光源として白色を得る３色ＬＥＤ方式を用いるものである場合、赤・緑・青の鋭い三つのピークがあるのみで黄およびシアンのスペクトルが大きく欠落する。また、白色ＬＥＤを利用したものであれば、発光スペクトルが４７０ｎｍと５７５ｎｍにピークがあるものや、赤外光領域、紫外光領域が欠落しているものが多い。したがって、さらに、光特性検出部１１は、照射光における特有な波長成分における光量を検出してもよい。例えば、検出すべき波長成分ごとに、光特性検出部１１を複数個備えればよい。
【００５３】
（照射光情報記憶部１２）
照射光情報記憶部１２は、光特性検出部１１により検出された光特性を基に、電子機器１に照射される照射光が、屋内における照射光であるのか、または、屋外における照射光であるのか、を識別するときに利用する、識別条件１２１を記憶する。この識別条件１２１は、例えば、照度（ルクス）と、色温度（K：ケルビン）と、時刻と、を１つの組とする条件を、複数個含んでいる。
【００５４】
ここで、例えば、屋内における照射光が蛍光灯であり、屋外における照射光が太陽光である場合を例として、識別条件１２１を説明する。
【００５５】
先ず、照度に関しては、例えば、１００００ルクスが１つの基準となる。この場合、照射光の照度が１００００ルクス以上であれば、照射光は太陽光であり、１００００ルクス以下であれば、照射光は蛍光灯（あるいは、人工光）である。
【００５６】
次に、色温度に関しては、例えば、昼間の太陽光であれば５０００〜６０００Ｋ、朝夕の太陽光であれば約２０００Ｋ、である。一方、蛍光灯の場合、その分類ごとに、電球色であれば約３０００Ｋ、温白色であれば約３５００Ｋ、白色であれば約４２００Ｋ、昼白色であれば約５０００Ｋ、昼光色であれば約６５００Ｋである。
【００５７】
このような照度および色温度と、時刻を組み合わせることにより、以下のような複数の条件を作成可能である。
【００５８】
（条件１）：昼１２：００頃において、照度が１００００ルクス以上、且つ、色温度が５０００Ｋ以上であれば、照射光は太陽光である、すなわち、電子機器１の周囲空間は屋外である。
【００５９】
（条件２）：朝７：００頃において、照度が２０００ルクス以上、且つ、色温度が２０００Ｋ以上であれば、照射光は太陽光である、すなわち、電子機器１の周囲空間は屋外である。
【００６０】
（条件３）：夕方１８：００頃において、照度が１０００ルクス以下、且つ、色温度が５０００Ｋ以下であれば、照射光は蛍光灯である、すなわち、電子機器１の周囲空間は屋内である。
【００６１】
識別条件１２１は、照度、色温度、時刻といった、照射光に関する照射光情報を用いて生成される、（条件１）〜（条件３）のような、複数の条件を含んでいる。照射光情報記憶部１２は、このような識別条件１２１を記憶している。
【００６２】
照射光情報記憶部１２は、ハードディスクドライブなどの磁気ディスク装置や半導体メモリ等の公知の記憶装置から、適宜選択して用いることができる。
【００６３】
（識別部１３）
識別部１３は、光特性検出部１１により検出された光特性と、時刻取得部１７により取得された現在時刻と、照射光情報記憶部１２に記憶されている識別条件１２１とを比較する。この比較により、識別部１３は、光特性検出部１１により検出された光特性と、時刻取得部１７により取得された現在時刻とのいずれもが含まれる条件を照射光情報記憶部１２から抽出する。この抽出により、識別部１３は、電子機器１に照射される照射光が、屋外における太陽からの光であるか、または、屋内における蛍光灯からの光であるか、を識別する。すなわち、識別部１３は、電子機器１が、屋内にあるか、または、屋外にあるか、を識別する。
【００６４】
（屋内用測位部１４）
屋内用測位部１４は、例えば、無線装置（例えば、無線ＬＡＮ、Ｂｌｕｅｔｏｏｔｈ(登録商標）、ＺｉｇＢｅｅ、ＵＷＢ、ＩＭＥＳ、その他の無線センサネットのノード）からの信号をパーティクルフィルタと呼ばれる方法を用いて処理し、測位を行なうものである。屋内用測位部１４は、無線装置からの電波を受信するための無線アンテナを備えればよい。
【００６５】
無線装置からの電波を用いた測位は、例えば無線装置（アクセスポイント）と通信が可能な状態にあれば、測位結果は比較的早くに得られる。また、通信可能範囲にアクセスポイントが存在してさえいれば、測位が可能になる。
【００６６】
（屋外用測位部１５）
屋外用測位部１５は、例えば、ＧＰＳ衛星からの位置情報信号を受信し、位置情報信号に含まれる航法メッセージを解析して測位する。屋外用測位部１５は、ＧＰＳ衛星からの電波を受信するためのＧＰＳアンテナを備えればよい。
【００６７】
ＧＰＳ衛星からの電波を用いたＧＰＳ測位は、ＧＰＳ衛星からの電波を受信するので、主に屋外で有効である。また、電波が受信可能である限り、海上、山岳部などの地域差は関係なく、ほぼ全世界に相当する広い範囲で測位が可能である。
【００６８】
ただし、屋内においてはＧＰＳ衛星からの電波を受信しにくくなり、測位も難しくなる。
【００６９】
（切り替え部１６）
切り替え部１６は、識別部１３による識別結果を受け取る。その識別結果が、電子機器１は屋内にある、であれば、切り替え部１６は、屋内用測位部１４による屋内用測位を有効とし、屋外用測位部１５による屋外用測位を無効とする。例えば、切り替え部１６は、屋内用測位部１４に測位を指示する一方、屋外用測位部１５に測位を指示しなければよい。そうすることにより、屋内用測位部１４と屋外用測位部１５との両方を不必要に動作させる必要がなく、電子機器１の消費電力の低減化を図ることができる。これにより、電子機器１を駆動するためのバッテリーの持ち時間が長くなり、電子機器１の利用者の利便性を向上させることにつながる。
【００７０】
同様に、識別部１３による識別結果が、電子機器１が屋外にある、であれば、切り替え部１６は、上記とは逆に、屋内用測位部１４による屋内用測位を無効とし、屋外用測位部１５による屋外用測位を有効とする。
【００７１】
このようにして、切り替え部１６は、識別部１３による識別結果に基づき、屋内用測位部１４による測位と屋外用測位部１５による測位とを切り替え、いずれかの測位結果をアプリ処理部１０１に出力する。
【００７２】
（時刻取得部１７）
時刻取得部１７は、現在の時刻を取得し、識別部１３に出力する。時刻取得部１７は、例えば、公知の時計を備えればよい。もちろん、時刻取得部１７は、現在の時刻に加え、現在の日付についても取得可能であることは言うまでもない。
【００７３】
（電子機器１のその他の構成部材）
（アプリ処理部１０１）
アプリ処理部１０１は、アプリ記憶部１０２に記憶されている複数のアプリケーションを処理するものである。複数のアプリケーションは、例えば、地図アプリケーション、ナビゲーションアプリケーション、ブラウザアプリケーション等が含まれる。アプリ処理部１０１は、これら複数のアプリケーションの中から、電子機器１の利用者からの指示入力に従って、適宜選択し、処理を行なう。
【００７４】
例えば、入力部１０５を用いて、利用者から、ナビゲーションアプリケーションの実行が指示入力されると、アプリ処理部１０１は、アプリ記憶部１０２に記憶されているナビゲーションアプリケーションを処理することになる。
【００７５】
この場合、アプリ処理部１０１は、切り替え部１６から送られてくる、屋内用測位部１４による測位結果、または、屋外用測位部１５による測位結果、を用いて、ナビゲーションアプリケーションの処理による、ナビゲーション機能を実現する。このようなナビゲーション機能は、表示部１０４を用いて、利用者に提供されることになる。
【００７６】
例えば、屋外用測位部１５による測位結果を用いる場合には、一般的な地図コンテンツを表示部１０４に表示させる。そして、測位結果に含まれる緯度経度情報を一定時間ごとに更新し、その更新毎に、利用者の位置を地図上にプロットすればよい。
【００７７】
一方、屋内用測位部１４による測位結果を用いた場合には、先ず、建物内の構造を立体的に表示できるコンテンツを表示部１０４に表示させる。測位結果は、緯度経度、高度の他に、建物の住所や名前、フロア階数などの情報を含んでおり、例えば、利用者が建物の何階にいるのかが特定可能である。このような情報を一定時間ごとに更新し、その更新毎に、利用者の位置を建物コンテンツ上に表示させればよい。
【００７８】
なお、屋内用測位部１４に電波を送信する無線装置、例えば、ＩＭＥＳ送信機は、建物の天井に約十メートルから数十メートル単位で設置されることが一般的である。そして、それぞれのＩＭＥＳ送信機は、緯度経度、高度、フロア情報を持っている。これにより、利用者が移動していても、建物内の、どのフロアの、どのあたりにいるかを表示することができる。
【００７９】
（アプリ記憶部１０２）
アプリ記憶部１０２は、アプリ処理部１０１が処理する、複数のアプリケーションを記憶する。アプリ記憶部１０２は、ハードディスクドライブなどの磁気ディスク装置や半導体メモリ等の公知の記憶装置から、適宜選択して用いることができる。
【００８０】
（利用者データ記憶部１０３）
利用者データ記憶部１０３は、アプリ処理部１０１によるアプリケーションの処理により、例えば、入力部１０５や、通信部１０６を用いて、電子機器１の外部から取得された、各種のデータを利用者データとして記憶する。例えば、アプリ処理部１０１のナビゲーションアプリケーションの処理によるナビゲーション機能が実現されたときに取得される地図データである。
【００８１】
利用者データ記憶部１０３は、ハードディスクドライブなどの磁気ディスク装置や半導体メモリ等の公知の記憶装置から、適宜選択して用いることができる。なお、アプリ記憶部１０２と利用者データ記憶部１０３とは、それぞれ必要なデータが記憶可能であればよく、それぞれを別の記憶装置で実現してもよいし、１つの記憶装置のなかで記憶領域を分割することで実現してもよい。
【００８２】
（表示部１０４）
表示部１０４は、アプリ処理部１０１のアプリケーションの処理による各種の機能の実現結果を表示する。表示部１０４は、晶表示パネルなどの表示装置を備えればよい。
【００８３】
（入力部１０５）
入力部１０５は、テンキー、キーボードなどを備え、電子機器１に入力したい指示やデータ、表示部１０４に表示させたい情報などを入力する。
【００８４】
（通信部１０６）
通信部１０６は、無線で電子機器１の外部の装置と通信を行なうものである。通信部１０６は、特に限定されないが、ＩｒＤＡ、ＩｒＳＳなどの赤外線通信、Ｂｌｕｅｔｏｏｔｈ、ＷｉＦｉ、非接触型ＩＣカードのいずれかの無線通信手段を実現するものであってもよいし、これらの手段を複数実現するものであってもよい。
【００８５】
（測位装置１０の動作）
次に、図１および図２を用いて、測位装置１０の動作（測位方法）について説明する。図２は、測位装置１０の動作を示すフローチャートである。
【００８６】
先ず、光特性検出部１１が、電子機器１の周囲空間からの照射光の光特性を検出する（ステップＳ１０１）。光特性検出部１１は、自身による検出結果を識別部１３に出力する。
【００８７】
次に、識別部１３は、光特性検出部１１による検出結果を受け取ると、時刻取得部１７から現在の時刻を取得する。識別部１３は、照射光情報記憶部１２に記憶されている識別条件１２１のうちから、光特性検出部１１からの検出結果および時刻取得部１７からの現在時刻が当てはまる条件を見つける。識別部１３は、その見つけた条件により、電子機器１の周囲空間が屋内であるのか、または、屋外であるのか、を識別する（ステップＳ１０３）。識別部１３は、自身による識別結果を切り替え部１６に出力する。
【００８８】
次に、切り替え部１６は、識別部１３による識別結果が屋内であれば（ステップＳ１０３の屋内）、屋内用測位部１４による測位を有効とし、屋外用測位部１５による測位を無効とする（ステップＳ１０４）。切り替え部１６は、例えば、識別部１３から識別結果を受け取ったとき、屋内用測位部１４の動作を開始させる一方、屋外用測位部１５は停止させたままとすればよい。
【００８９】
一方、切り替え部１６は、識別部１３による識別結果が屋外であれば（ステップＳ１０３の屋外）、屋外用測位部１５による測位を有効とし、屋内用測位部１４による測位を無効とする（ステップＳ１０５）。切り替え部１６は、例えば、識別部１３から識別結果を受け取ったとき、屋外用測位部１５の動作を開始させる一方、屋内用測位部１４は停止させたままとすればよい。
【００９０】
次に、切り替え部１６により有効化された、屋内用測位部１４または屋外用測位部１５は、測位を実行する（ステップＳ１０６）。屋内用測位部１４または屋外用測位部１５は、自身による測位結果を切り替え部１６に出力する。
【００９１】
最後に、切り替え部１６は、屋内用測位部１４または屋外用測位部１５から測位結果を受け取ると、その測位結果をアプリ処理部１０１に出力する（ステップＳ１０７）。
【００９２】
このようにして、測位装置１０の動作が行なわれる。
【００９３】
（測位装置１０の効果）
以上のように、測位装置１０によれば、電子機器１の周囲空間からの照射光の光特性を検出し、検出された光特性と現在時刻とを用いて、電子機器１の周囲空間が、屋内であるのか、または、屋外であるのか、を識別する。これにより、電子機器１の利用者の意図的な作業を要することなく、屋内と屋外の各々において、異なる測位手段を用いて測位を行なうことができる。
【００９４】
〔実施の形態２〕
次に、本発明の実施の形態２について説明する。図３は、本発明の実施形態２における電子機器の構成を示すブロック図である。以下、本発明の実施形態１と同様の部分については、同一符号を付し、その詳細な説明は省略する。
【００９５】
図３に示すように、本発明の実施形態２の電子機器１ａと上記の実施形態１の電子機器１とで異なる点は、測位装置１０ａにおいて、電子機器１ａの周囲空間から照射される照射光に含まれる紫外線量を検出する紫外線量検出部１８と、光特性と、時刻と、紫外線量とを組み合わせることにより作成された複数の条件を含む識別条件１２２とをさらに備えた点である。これにより、識別部１３が、光特性検出部１１による検出結果である照射光の光特性に加え、紫外線量検出部１８による検出結果である照射光に含まれる紫外線量も併せて用いて、電子機器１ａの周囲空間が、屋内であるか、または、屋外であるか、を識別するものである。
【００９６】
太陽からの紫外線量や蛍光灯からの紫外線量をさらに用いることにより、照射光が太陽光であるか、または、照射光が蛍光灯であるのか、をより正確に識別することが可能となる。例えば、太陽光に含まれる紫外線の量は約1ミリワット／ｃｍ２程度であるのに対し、蛍光灯の光に含まれる紫外線の量は1マイクロワット／ｃｍ２程であり、ごく僅かである。そこで、紫外線量が一定量（０．５ミリワット／ｃｍ２程度以上）である場合は、照射光は太陽光である、すなわち、屋外であると識別することができる。
【００９７】
図６は、「光量」、「現在時刻」および「紫外線量」を用いて、屋内／屋外を判定する処理手順を示すフローチャートである。この屋内／屋外判定は、電子機器１の周囲空間が屋内であるのか、または、屋外であるのか、を判定する、図２のステップＳ１０３にて用いられるものである。
【００９８】
図６に示すように、太陽が出ているか否が判定される（ステップＳ３０１）。ステップＳ３０１においては、例えば、識別部１３が、時刻取得部１７から、現在の時刻および現在の日付を取得し、それら時刻および日付を用いて、現在、日の出から日没までの時間帯であるのか、あるいは、日没から日の出までの時間帯であるのか、を判定すればよい。
【００９９】
日の出から日没までの時間帯であれば（ステップＳ３０１のＹＥＳ）、光特性検出部１１は、電子機器１ａの周囲空間からの照射光の光量を検出する（ステップＳ３０２）。そして、光特性検出部１１により検出された光量が１００００ルクス以上（識別条件１２２）（ステップＳ３０２のＹＥＳ）であれば、識別部１３は、電子機器１ａの周囲空間は屋外であると判定する（ステップＳ３１１）。
【０１００】
光特性検出部１１により検出された光量が１００００ルクス未満（識別条件１２２）（ステップＳ３０２のＮＯ）であれば、光特性検出部１１は、電子機器１ａの周囲空間からの照射光の色温度を検出する（ステップＳ３０３）。そして、光特性検出部１１により検出された色温度が５０００Ｋ以上（識別条件１２２）（ステップＳ３０３のＹＥＳ）であれば、識別部１３は、電子機器１ａの周囲空間は屋外であると判定する（ステップＳ３１１）。
【０１０１】
光特性検出部１１により検出された色温度が５０００Ｋ未満（識別条件１２２）（ステップＳ３０３のＮＯ）であれば、電子機器１ａを携帯する利用者が乗り物に乗車し、移動中であるか否かが判定される（ステップＳ３０４）。紫外線カットガラスが窓ガラスに採用された乗り物の中では、紫外線量は６５ミリワット／ｃｍ２前後になる例もある。このため、紫外線量を考慮し、屋内／屋外判定に用いる、紫外線量の閾値を変化させることが好ましい。そこで、ステップＳ３０４では、識別部１３は、例えば、通信部１０６と無線通信する基地局からのセクタＩＤの切り替えの有無を検出したり、加速度センサを用いて電子機器１ａの加速度を検出したりすることにより、電子機器１ａが乗り物での移動中であるか否かを判定する。
【０１０２】
電子機器１ａを携帯する利用者が乗り物での移動中であれば（ステップＳ３０４のＹＥＳ）、識別部１３は、紫外線閾値（α）を５０マイクロワット（μＷ）／ｃｍ２（識別条件１２２）に設定し（ステップＳ３０５）、一方、電子機器１ａを携帯する利用者が乗り物での移動中でなければ、すなわち、乗り物に乗車していなければ（ステップＳ３０４のＮＯ）、識別部１３は、紫外線閾値（α）を５００マイクロワット（μＷ）／ｃｍ２（識別条件１２２）に設定する（ステップＳ３０６）。
【０１０３】
乗り物への乗車とは別に、例えば天候の如何（晴れと曇り）によっても、紫外線量が増減してしまう場合が考えられる。そこで、ステップＳ３０６では、識別部１３は、例えば、現在の天気を取得し、その天気に応じて、紫外線閾値（α）を、５００マイクロワット（μＷ）／ｃｍ２を基準として調整してもよい。これにより、紫外線量を用いた判定精度を向上させることができる。なお、紫外線量は、蛍光灯などの屋内灯では、５００マイクロワット／ｃｍ２以上になることは無いため、５００マイクロワット／ｃｍ２以上の紫外線量が検出された場合には、基本的に、屋外であると判定して構わない。
【０１０４】
紫外線量検出部１８により検出された紫外線量が紫外線閾値α以上（識別条件１２２）（ステップＳ３０７のＹＥＳ）であれば、識別部１３は、電子機器１ａの周囲空間は屋外であると判定する（ステップＳ３１１）。一方、紫外線量検出部１８により検出された紫外線量が紫外線閾値α未満（識別条件１２２）（ステップＳ３０７のＮＯ）であれば、識別部１３は、電子機器１ａの周囲空間は屋内であると判定する（ステップＳ３０８）。
【０１０５】
一方、日没から日の出までの時間帯であれば（ステップＳ３０１のＮＯ）、光特性検出部１１は、電子機器１ａの周囲空間からの照射光の光量を検出する（ステップＳ３０９）。そして、光特性検出部１１により検出された光量が１００ルクス以下（識別条件１２２）（ステップＳ３０９のＹＥＳ）であれば、識別部１３は、電子機器１ａの周囲空間は屋外であると判定する（ステップＳ３１１）。
【０１０６】
光特性検出部１１により検出された光量が１００ルクスを上回る（識別条件１２２）（ステップＳ３０９のＮＯ）であれば、電子機器１ａを携帯する利用者が乗り物に乗車し、移動中であるか否かが判定される（ステップＳ３１０）。
【０１０７】
電子機器１ａを携帯する利用者が乗り物での移動中であれば（ステップＳ３１０のＹＥＳ）、識別部１３は、電子機器１ａの周囲空間は屋外であると判定し（ステップＳ３１１）、一方、電子機器１ａを携帯する利用者が乗り物での移動中でなければ、すなわち、乗り物に乗車していなければ（ステップＳ３１０のＮＯ）、識別部１３は、電子機器１ａの周囲空間は屋内であると判定する（ステップＳ３０８）。
【０１０８】
紫外線量検出部１８は、電子機器１ａの周囲空間から照射される光に含まれる紫外線量を検出する。例えば、電子機器１ａの周囲空間が屋内であり、蛍光灯を常時点灯している場合であれば、紫外線量検出部１８は、蛍光灯からの光線に含まれる紫外線量を検出する。一方、電子機器１ａの周囲空間が屋外であり、太陽光がふりそそぐ昼間であれば、紫外線量検出部１８は、太陽からの光線に含まれる紫外線量を検出する。
【０１０９】
以上のように、測位装置１０ａによれば、電子機器１の周囲空間からの照射光の光特性に加え、照射光に含まれる紫外線量も検出し、検出された光特性および紫外線量と現在時刻とを用いて、電子機器１の周囲空間が、屋内であるのか、または、屋外であるのか、をより精度よく識別する。これにより、電子機器１の利用者の意図的な作業を要することなく、屋内と屋外の各々において、異なる測位手段を用いて測位を行なうことができる。
【０１１０】
〔実施の形態３〕
次に、本発明の実施の形態３について説明する。図４は、本発明の実施形態３における電子機器の構成を示すブロック図である。以下、本発明の実施形態１と同様の部分については、同一符号を付し、その詳細な説明は省略する。
【０１１１】
図４に示すように、本発明の実施形態３の電子機器１ｂと上記の実施形態１の電子機器１とが異なる点は、測位装置１０ｂにおいて、アプリ処理部１０１がアプリケーションの処理を行なっているか否かを監視するアプリ処理監視部（監視手段）１９をさらに備えた点である。これにより、例えば、測位装置１０ｂは、アプリ処理部１０１によるアプリケーション処理の開始に合わせて測位を開始し、アプリ処理部１０１によるアプリケーション処理の停止に合わせて測位を停止することができる。なお、測位装置１０ｂによる測位の開始については、電子機器１ｂの電源投入に合わせて行なってもよい。
【０１１２】
例えば、入力部１０５を用いて、利用者から、ナビゲーションアプリケーションの実行が指示入力されると、アプリ処理部１０１は、アプリ記憶部１０２に記憶されているナビゲーションアプリケーションを処理することになる。
【０１１３】
アプリ処理監視部１９は、このアプリ処理部１０１によるアプリケーション処理の開始を認識すると、アプリケーション処理の開始を識別部１３に通知する。
【０１１４】
一方、例えば、入力部１０５を用いて、利用者から、ナビゲーションアプリケーションの停止が指示入力されると、アプリ処理部１０１は、ナビゲーションアプリケーションの処理を停止することになる。
【０１１５】
アプリ処理監視部１９は、このアプリ処理部１０１によるアプリケーション処理の停止を認識すると、アプリケーション処理の停止を識別部１３に通知する。
【０１１６】
次に、図４および図５を用いて、測位装置１０ｂの動作（測位方法）について説明する。図５は、測位装置１０ｂの動作を示すフローチャートである。図５のフローチャートと図２のフローチャートとで異なる点は、アプリケーション処理の開始を認識するステップＳ２０１と、アプリケーション処理の停止を認識するステップＳ２０２と、をさらに備えた点である。
【０１１７】
先ず、電子機器１ｂの電源投入されると、アプリ処理監視部１９は、アプリ処理部１０１がアプリケーションの処理を行なっているか否かを監視する。そして、アプリ処理部１０１がアプリケーションの処理を開始すると、アプリ処理監視部１９は、その開始を認識する（ステップＳ２０１）。アプリ処理監視部１９は、アプリ処理部１０１によるアプリケーションの処理の開始を認識すると、その開始を識別部１３に通知する。
【０１１８】
ステップＳ１０１〜ステップＳ１０７については、図２のフローチャートと同様の処理内容であり、ここでは説明を繰り返さない。
【０１１９】
切り替え部１６からアプリ処理部１０１への測位結果の出力が行なわれた後において、アプリ処理監視部１９が、アプリ処理部１０１がアプリケーションの処理を停止したことを認識しない限り（ステップＳ２０２のＹＥＳ）、上記のステップＳ１０１に戻る（ステップＳ２０２のＮＯ）。
【０１２０】
このようにして、測位装置１０ｂの動作が行なわれる。
【０１２１】
なお、測位装置１０ｂに対し、アプリケーション自体から測位が要求される場合もある。この場合、測位装置１０ｂによる、屋内／屋外判定や測位は、アプリケーションの処理とは無関係に実施されるので、アプリケーションが処理されているか否かの監視は不要となる。識別部１３は、アプリケーション自体からの測位の要求により、言い換えれば、アプリ処理部１０１により処理されるアプリケーションに対応する機能の実現に応じて、屋内／屋外判定や測位を開始すればよい。
【０１２２】
以上のように、測位装置１０ｂによれば、アプリ処理部１０１がアプリケーションの処理を行なっているか否かを監視し、アプリ処理部１０１によるアプリケーション処理の開始に合わせて測位を開始し、アプリ処理部１０１によるアプリケーション処理の停止に合わせて測位を停止する。これにより、不必要な測位を行なう必要がなくなり、電子機器１ｂの消費電力を低減することができる。それゆえ、バッテリーの持ち時間が長くなり、電子機器１ｂの利用者の利便性を向上させることにつながる。
【０１２３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１２４】
最後に、測位装置１０、１０ａおよび１０ｂの各々の識別部１３および切り替え部１６ならびに測位装置１０ｂのアプリ処理監視部１９は、ハードウェアロジックによって構成してもよいし、次のようにＣＰＵを用いてソフトウェアによって実現してもよい。
【０１２５】
すなわち、測位装置１０、１０ａおよび１０ｂは、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである測位装置１０、１０ａおよび１０ｂの各々の制御プログラムのプログラムコード（実行形式プログラム、中間コードプログラム、ソースプログラム）をコンピュータで読み取り可能に記録した記録媒体を、前記測位装置１０、１０ａおよび１０ｂの各々に供給し、そのコンピュータ（又はＣＰＵやＭＰＵ）が記録媒体に記録されているプログラムコードを読み出し実行することによっても、達成可能である。
【０１２６】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２７】
また、測位装置１０、１０ａおよび１０ｂの各々を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０１２８】
なお、本発明は、以下のようにも表現することができる。すなわち、本発明は、ＧＰＳ、ガリレオ、グロナス、準天頂衛星、Ｗｉ−Ｆｉ、ＩＭＥＳ、スードライト、マーカーなど、屋内／屋外で有効な測位手段をそれぞれ１種類以上備えた電子機器である。
【０１２９】
本発明は、光センサーによって屋外か屋内かを判定し、屋内屋外判定結果にもとづいて屋内用位置情報取得手段と屋外用位置情報取得手段を切り替える位置情報出力装置である。
【０１３０】
本発明は、上記電子機器において、測位手段切り替える機能を有する電子機器である。
【０１３１】
本発明は、測位により得た位置情報を、端末上の地図ソフトやインターネット上の地図などに送ることによって地図上にマッピングする機能を有する電子機器である。
【０１３２】
本発明は、ナビゲーション機能に対応した地図ソフトが動作可能な電子機器である。
【０１３３】
本発明は、ナビゲーション機能を備えた電子機器である。
【０１３４】
本発明は、インターネットにアクセスでき地図データを外部から取得できる電子機器である。
【０１３５】
本発明は、自然光、人工光、太陽光などが識別可能な色温度センサ、照度センサ、紫外線センサ、赤外線センサ等の光センサーを少なくとも１つ有する電子機器である。
【０１３６】
本発明は、紫外線センサを有する電子機器である。
【産業上の利用可能性】
【０１３７】
本発明は、屋内と屋外との間において位置の移動が可能な電子機器に取り付けられ、当該電子機器の位置を測位可能な測位装置に適用できる。
【符号の説明】
【０１３８】
１、１ａ、１ｂ    電子機器
１０、１０ａ、１０ｂ    測位装置
１１    光特性検出部
１２    照射光情報記憶部
１３    識別部（識別手段）
１４    屋内用測位部
１５    屋外用測位部
１６    切り替え部（切り替え手段）
１７    時刻取得部
１８    紫外線量検出部
１９    アプリ処理監視部（監視手段）
１０１    アプリ処理部
１０２    アプリ記憶部
１０３    利用者データ記憶部
１０４    表示部
１０５    入力部
１０６    通信部
１２１、１２２    識別条件
【図１】
2013120131.tif 000003
【図２】
2013120131.tif 000004
【図３】
2013120131.tif 000005
【図４】
2013120131.tif 000006
【図５】
2013120131.tif 000007
【図６】
2013120131.tif 000008